(57)【特許請求の範囲】
【請求項１】
ユーザから入力操作を検出する入力検出手段と、
前記入力操作に対する入力キーの割当を示す画像を出力画面上に表示させる画面表示制御手段と、
前記入力検出手段によって検出された前記入力操作と、前記入力キーとの対応を判断して前記ユーザから入力される入力文字を確定させる文字入力処理手段と、
前記出力画面の大きさに関する画面サイズ情報を格納する情報格納手段とを備え、
前記画面表示制御手段は、前記情報格納手段に格納されている画面サイズ情報が所定の閾値以下を示す場合に、前記画像の少なくとも一部を、当該画像の背景画像を透過させる状態で表示させる、
ことを特徴とする情報処理端末。
【請求項２】
前記文字入力処理手段は、前記入力操作が特定の入力キーに対応して検出された回数を計数し、
前記画面表示制御手段は、前記文字入力処理手段によって計数された前記回数が所定回数以上となった場合に、前記画像の少なくとも一部を、当該画像の背景画像を透過させる状態で表示させる、
ことを特徴とする請求項１記載の情報処理端末。
【請求項３】
入力検出手段が、ユーザから入力操作を検出する入力検出ステップと、
画面表示制御手段が、前記入力操作に対する入力キーの割当を示す画像を出力画面上に表示させる画面表示制御ステップと、
文字入力処理手段が、前記入力検出手段によって検出された前記入力操作と、前記入力キーとの対応を判断して前記ユーザから入力される入力文字を確定させる文字入力処理ステップと、
情報格納手段が、前記出力画面の大きさに関する画面サイズ情報を格納する情報格納ステップとを備え、
前記画面表示制御ステップでは、前記情報格納手段に格納されている画面サイズ情報が所定の閾値以下を示す場合に、前記画像の少なくとも一部を、当該画像の背景画像を透過させる状態で表示させる、
ことを特徴とする文字入力画面表示制御方法。
【発明の詳細な説明】
【技術分野】
【０００１】
本発明は、文字入力画面の表示を制御する情報処理端末及び文字入力画面表示制御方法に関するものである。
【背景技術】
【０００２】
従来から、出力画面上にソフトウェアキーボードを表示させてリモートコントローラ等を利用して文字入力する装置や、タッチパネル付きディスプレイを備える携帯端末等のキーボードを使用しないで文字入力可能な装置が開発されている。例えば、下記特許文献１には、画面上に表示された文字入力画面の入力文字選択領域に位置する文字を、時間の経過に従って循環的に切り替える装置が開示されている。
【先行技術文献】
【特許文献】
【０００３】
【特許文献１】特開２００７−１９９８８２号公報
【発明の概要】
【発明が解決しようとする課題】
【０００４】
しかしながら、上述した従来の装置では、文字入力する際のユーザの操作量が低減するという一定の効果はあるが、画一的に文字入力画面が表示制御されるために、近年多様化する様々な機種の携帯端末に適した画面制御を行うことは困難である。例えば、小型の端末装置と大型の端末装置において表示制御する場合に、両方の端末装置のユーザの文字入力操作を同時に効率化することは実現できていない。
【０００５】
そこで、本発明は、かかる課題に鑑みて為されたものであり、様々な機種の端末装置のユーザの文字入力操作の効率化を図ることが可能な情報処理端末及び文字入力画面表示制御方法を提供することを目的とする。
【課題を解決するための手段】
【０００６】
上記課題を解決するため、本発明の情報処理端末は、ユーザから入力操作を検出する入力検出手段と、入力操作に対する入力キーの割当を示す画像を出力画面上に表示させる画面表示制御手段と、入力検出手段によって検出された入力操作と、入力キーとの対応を判断してユーザから入力される入力文字を確定させる文字入力処理手段と、出力画面の大きさに関する画面サイズ情報を格納する情報格納手段とを備え、画面表示制御手段は、情報格納手段に格納されている画面サイズ情報が所定の閾値以下を示す場合に、画像の少なくとも一部を、当該画像の背景画像を透過させる状態で表示させる。
【０００７】
或いは、本発明の文字入力画面表示制御方法は、入力検出手段が、ユーザから入力操作を検出する入力検出ステップと、画面表示制御手段が、入力操作に対する入力キーの割当を示す画像を出力画面上に表示させる画面表示制御ステップと、文字入力処理手段が、入力検出手段によって検出された入力操作と、入力キーとの対応を判断してユーザから入力される入力文字を確定させる文字入力処理ステップと、情報格納手段が、出力画面の大きさに関する画面サイズ情報を格納する情報格納ステップとを備え、画面表示制御ステップでは、情報格納手段に格納されている画面サイズ情報が所定の閾値以下を示す場合に、画像の少なくとも一部を、当該画像の背景画像を透過させる状態で表示させる。
【０００８】
このような情報処理端末或いは文字入力画面表示制御方法によれば、ユーザからの入力操作に対して割り当てられた入力キーに対応する入力文字が検出され、その入力文字がユーザからの入力として確定される。このとき出力画面上に表示される入力操作に対する入力キーの割当を示す画像は、画面サイズが所定の閾値以下の場合に、背景画像を透過させるように出力されるので、画面サイズが小さい機種の情報処理端末においても必要な情報がユーザに認識されやすくなり、ユーザの文字入力操作が効率的に行われる。なお、ここでいう「出力画面の大きさ」、或いは「画面サイズ」とは、情報処理装置の出力画面の物理的大きさの他、出力画面において出力する全体画像の解像度をも含む概念である。
【０００９】
文字入力処理手段は、入力操作が特定の入力キーに対応して検出された回数を計数し、画面表示制御手段は、文字入力処理手段によって計数された回数が所定回数以上となった場合に、画像の少なくとも一部を、当該画像の背景画像を透過させる状態で表示させることが好ましい。こうすれば、ユーザによって特定の入力操作が繰り返された場合に、入力キーの割当を示す画像が背景画像を透過させるように出力されるので、ユーザの文字入力操作がさらに効率的に行われる。例えば、“削除キー”等の特定の入力キーに対応する操作を繰り返す場合に、ユーザによって誤入力が繰り返されたと判断して出力画面から出力される情報の視認性を上げることで、ユーザの文字入力操作を効率化することができる。
【発明の効果】
【００１０】
本発明によれば、様々な機種の端末装置のユーザの文字入力操作の効率化を図ることができる。
【図面の簡単な説明】
【００１１】
【図１】本発明の好適な一実施形態にかかる携帯電話端末の概略構成図である。
【図２】図１の携帯電話端末による文字入力処理時の動作を示すフローチャートである。
【図３】図１の携帯電話端末のディスプレイにおける文字入力画面の出力例を示す図である。
【図４】図１の携帯電話端末のディスプレイにおける文字入力画面の出力例を示す図である。
【発明を実施するための形態】
【００１２】
以下、図面とともに本発明による情報処理端末及び文字入力画面表示制御方法の好適な実施形態について詳細に説明する。なお、図面の説明においては同一要素には同一符号を付し、重複する説明を省略する。
【００１３】
図１は、本発明の好適な一実施形態にかかる携帯電話端末１の概略構成図である。図１に示す携帯電話端末１は、ＩＭＴ−２０００（International Mobile Telecommunication 2000）等の移動体通信方式を採用した移動体通信ネットワークに接続可能な情報処理端末である。なお、本実施形態にかかる情報処理端末としては、ＰＤＡ（Personal Digital Assistants）、パーソナルコンピュータ、スマートフォン等の様々な端末装置が採用可能である。
【００１４】
この携帯電話端末１は、文章データ作成時、電子メール作成時やＷＥＢサイトへの検索キーワード入力時等に文章の作成を行おうとするユーザが使用する情報通信端末であり、その構成要素として、画像出力機能及びユーザの指での入力の検知機能を含むタッチパネルディスプレイ（出力画面）２１と、タッチパネルディスプレイ２１での画像表示を制御する画面表示制御部（画面表示制御手段）２２と、入力検出部（入力検出手段）２３と、文字入力処理部（文字入力処理手段）２４と、入力回数検出部（文字入力処理手段）２５と、画面情報格納部（情報格納手段）２６とを備えている。以下、携帯電話端末１の各構成要素の機能について詳細に説明する。
【００１５】
画面表示制御部２２は、タッチパネルディスプレイ２１を介したユーザの操作の検出により、文字入力機能の起動が指示された場合に、タッチパネルディスプレイ２１上に文字入力時のユーザの入力操作に対する入力キーの割り当てを示す画像であるキー割当表示画面を表示させる。このような文字入力機能の起動は、端末内に格納されたデータに関する検索機能の起動検出時、電子メール作成機能の起動検出時や、ＷＥＢサイトに接続時の文字入力操作の検出時等に行われる。例えば、画面表示制御部２２は、複数の区画（入力キー領域）に分けられた矩形のウィンドウ上に入力キーの種別を示す文字又は記号を配置させて、タッチパネルディスプレイ２１上の下部等の一部の領域に表示させる。
【００１６】
このとき、画面表示制御部２２は、画面情報格納部２６に格納されている画面サイズ情報を参照し、この画面サイズ情報が規定の画面サイズ以下を示す場合には、上記のキー割当表示画面の少なくとも一部を、キー割当表示画面の背景に表示されるウィンドウ等の画像を透過させるように、半透明状態で表示させるように制御する。この画面情報格納部２６には、“XXインチ”等のタッチパネルディスプレイ２１の物理的な画面の大きさを示す情報や“VGA”等のタッチパネルディスプレイ２１の出力画面全体の解像度を示す情報等が、画面サイズ情報として予め格納されている。画面表示制御部２２は、このような画面サイズ情報の示す画面サイズが、予め規定された画面サイズ（例えば、“○○インチ”）以下であるかを判定する。なお、画面表示制御部２２は、キー割当表示画面の全体を半透明状態で表示させてもよいし、キー割当表示画面の外枠部分等の一部分のみを半透明状態で表示させてもよい。
【００１７】
さらに、画面表示制御部２２は、後述する入力回数検出部２５によって検出された特定キー操作の検出回数に応じて、その検出回数が規定回数以上となった場合に、キー割当表示画面の少なくとも一部を半透明状態で表示させるように制御する。
【００１８】
入力検出部２３は、タッチパネルディスプレイ２１上におけるユーザからの入力操作を検出する。すなわち、入力検出部２３は、タッチパネルディスプレイ２１上におけるユーザの指の接触又は接近を検出し、検出されたタッチパネルディスプレイ２１上の位置に関する位置情報を文字入力処理部２４に出力する。
【００１９】
文字入力処理部２４は、入力検出部２３によって検出されたユーザの入力操作と、キー割当表示画面上に割り当てられた入力キーとの対応を判断して、ユーザから入力される入力文字を確定させる。詳細には、文字入力処理部２４は、入力検出部２３から出力された位置情報と、キー割当表示画面上で区分された入力キー領域との対応関係を判断する。そして、文字入力処理部２４は、ユーザによってその位置情報に対応する入力キー領域の入力キーが操作されたと判断して、その入力キーに対応する文字の入力を確定させる。さらに、入力検出部２３は、確定した入力文字を、データ検索用プログラム、電子メール作成用プログラムや、ＷＥＢサイト接続用プログラム等の各種プログラムに引き渡す。
【００２０】
入力回数検出部２５は、文字入力処理部２４によって検出された特定の入力キーの入力操作の回数を計数する。例えば、入力回数検出部２５は、予め規定された入力文字を削除するための“削除キー”に関する入力操作の検出回数を計数し、その検出回数を画面表示制御部２２に出力する。なお、入力回数検出部２５は、所定時間間隔で所定時間内の合計の操作回数を検出してもよいし、ユーザによって文字入力機能の起動が指示されたタイミング以降で操作回数を検出してもよい。
【００２１】
以下、図２〜図４を参照して、携帯電話端末１の動作について説明するとともに、併せて携帯電話端末１における文字入力画面表示制御方法について詳述する。図２は、携帯電話端末１による文字入力処理時の動作を示すフローチャート、図３及び図４は携帯電話端末１によって文字入力処理時に出力された画面のイメージを示す図である。
【００２２】
最初に、携帯電話端末１のユーザから、データ検索用プログラム等のアプリケーションプログラムを利用した文字入力処理の起動指示が受け付けられる（ステップＳ１０１）。このような起動指示の検出は、例えば、入力検出部２３によって、データ検索用プログラムの出力画面上の文字入力欄に対するユーザの指の接触又は接近を検出することにより行われる。そうすると、画面表示制御部２２によって、画面情報格納部２６から画面サイズ情報が読み出され、この画面サイズ情報が規定の画面サイズ以下を示すか否かが判定される（ステップＳ１０２）。
【００２３】
上記判定の結果、画面サイズ情報が規定の画面サイズを超えていることを示している場合には（ステップＳ１０２；ＮＯ）、画面表示制御部２２により、キー割当表示ウィンドウがタッチパネルディスプレイ２１の画面上において背景画像を覆い隠した状態で表示される（ステップＳ１０４）。具体的には、図３に示すように、タッチパネルディスプレイ２１の画面Ｗ１上に、データ検索用ウィンドウＷＳ１と、キー割当表示ウィンドウＷＳ２とが上下に並んだ状態で分割して表示される。このとき、キー割当表示ウィンドウＷＳ２が表示される以前に画面Ｗ１上に表示されていた画像は、キー割当表示ウィンドウＷＳ２によって覆い隠される。
【００２４】
一方、上記判定の結果、画面サイズ情報が規定の画面サイズ以下を示している場合には（ステップＳ１０２；ＹＥＳ）、画面表示制御部２２により、キー割当表示ウィンドウが、少なくともその一部分を半透明状態に設定された状態で表示される（ステップＳ１０３）。具体的には、図４に示すように、タッチパネルディスプレイ２１の画面Ｗ１上に、データ検索用ウィンドウＷＳ１と、キー割当表示ウィンドウＷＳ２とが重なった状態で表示される。このとき、キー割当表示ウィンドウＷＳ２は、その一部領域Ａ１においてデータ検索用ウィンドウＷＳ１上に表示された画像を透過させるように半透明状態に設定された状態で、データ検索用ウィンドウＷＳ１上に重ねて表示される。この場合、キー割当表示ウィンドウＷＳ２の全体が半透明状態に設定されてもよく、半透明状態に設定される領域は特定の部分には限定されない。
【００２５】
その後、入力検出部２３によって、キー割当表示ウィンドウＷＳ２上でのユーザの入力操作が検出される（ステップＳ１０５）。次に、文字入力処理部２４によって、ユーザの入力操作と入力キーの対応が判断されることによって、入力文字が確定され、その入力文字がデータ検索用プログラムに渡されると同時にデータ検索用ウィンドウＷＳ１上に表示される（ステップＳ１０６）。さらに、入力回数検出部２５によって、キー割当表示ウィンドウＷＳ２に表示された特定の入力キー、例えば、入力文字を削除するための“ＤＥＬキー”（図３，図４のキーＫ１）に対する入力操作の回数が計数される（ステップＳ１０７）。
【００２６】
その後、画面表示制御部２２によって、所定時間内に計数された特定の入力キーの操作回数が規定回数以上であるか否かが判定される（ステップＳ１０８）。判定の結果、特定の入力キーの操作回数が規定回数未満である場合には（ステップＳ１０８；ＮＯ）、ステップＳ１０３又はステップＳ１０４で設定された状態のままでのキー割当表示ウィンドウＷＳ２の表示を継続させる。一方、特定の入力キーの操作回数が規定回数以上である場合には（ステップＳ１０８；ＹＥＳ）、ステップＳ１０３と同様にして、画面表示制御部２２により、キー割当表示ウィンドウが、半透明状態で表示される（ステップＳ１０９）。その後、ユーザから文字入力処理の終了指示が受け付けられた場合には（ステップＳ１１０；ＹＥＳ）には、文字入力処理が終了されキー割当表示ウィンドウが消去される。一方、ユーザから文字入力処理の終了指示が受け付けられていない場合には（ステップＳ１１０；ＮＯ）には、処理をステップＳ１０５に戻し、文字入力処理が繰り返される。
【００２７】
以上説明した携帯電話端末１によれば、ユーザからの入力操作に対して割り当てられた入力キーに対応する入力文字が検出され、その入力文字がユーザからの入力として確定される。このときタッチパネルディスプレイ２１の画面上に表示される入力操作に対する入力キーの割当を示すキー割当表示ウィンドウは、画面サイズが所定の閾値以下の場合に、データ検索用ウィンドウ等の背景に表示されたウィンドウを透過させるように出力されるので、画面サイズが小さい機種の情報処理端末においても必要な情報がユーザに認識されやすくなり、ユーザの文字入力操作が効率的に行われる。
【００２８】
また、所定の入力キーの操作回数が所定回数以上となった場合に、キー割当表示ウィンドウが半透明状態で表示されるので、ユーザの文字入力操作がさらに効率的に行われる。例えば、“削除キー”等の特定の入力キーに対応する操作を繰り返す場合に、ユーザによって誤入力が繰り返されたと判断してタッチパネルディスプレイ２１の画面から出力される情報の視認性を上げることで、ユーザの文字入力操作を効率化することができる。
【符号の説明】
【００２９】
１…携帯電話端末（情報処理端末）、２１…タッチパネルディスプレイ（出力画面）、２２…画面表示制御部（画面表示制御手段）、２３…入力検出部（入力検出手段）、２４…文字入力処理部（文字入力処理手段）、２５…入力回数検出部（文字入力手段）、２６…画面情報格納部（情報格納手段）、Ｗ１…出力画面、ＷＳ１…データ検索用ウィンドウ（背景画像）、ＷＳ２…キー割当表示ウィンドウ（入力キー割当画像）。
【図１】
0005303599.tif 000002
【図２】
0005303599.tif 000003
【図３】
0005303599.tif 000004
【図４】
0005303599.tif 000005